(57)【要約】【課題】スピーカ装置において、スピーカボックスへのスピーカユニットの組付けを容易にしながら、スピーカユニットからスピーカボックスに振動が伝わりにくくする。【解決手段】スピーカ装置１０は、音響放射部を有するスピーカユニット２０と、スピーカユニット２０が挿入されてボックス内部に収容される第１ボックス部分２２ａと、第１ボックス部分２２ａ内の奥壁２３ａに対してスピーカユニット２０を押圧支持する支持部材と、スピーカユニット２０と支持部材との間に圧接状態で設けられる柔軟な前側緩衝材３０と、スピーカユニット２０と第１ボックス部分２２ａ内の奥壁２３ａとの間に圧接状態で設けられる柔軟な後側緩衝材３２とを備える。スピーカユニット２０は、前側緩衝材３０および後側緩衝材３２を介して支持部材と第１ボックス部分２２ａの奥壁２３ａとによって押圧支持される。【選択図】図７
2019121992.tif 000002
【特許請求の範囲】
【請求項１】
音響放射部を有するスピーカユニットと、
開口部を有し、前記開口部から前記スピーカユニットが挿入されてボックス内部に収容されるスピーカボックスと、
前記スピーカボックスの開口部に取り付けられ、前記スピーカボックス内の奥壁に対して前記スピーカユニットを押圧支持する支持部材と、
前記スピーカユニットと前記支持部材との間に圧接状態で設けられる柔軟な前側緩衝材と、
前記スピーカユニットと前記スピーカボックス内の奥壁との間に圧接状態で設けられる柔軟な後側緩衝材と、を備え、
前記スピーカユニットは、前記前側緩衝材および後側緩衝材を介して前記支持部材と前記スピーカボックスの奥壁とによって押圧支持される、
スピーカ装置。
【請求項２】
前記前側緩衝材は前記後側緩衝材よりも変形しやすい柔軟性を有する、請求項１に記載のスピーカ装置。
【請求項３】
前記前側緩衝材は弾性を有するスポンジで構成され、前記後側緩衝材はフェルトで構成される、請求項２に記載のスピーカ装置。
【請求項４】
前記支持部材は複数の爪部を有し、前記複数の爪部が前記スピーカユニットの前端にあるフランジ部に係合することで前記支持部材が前記スピーカユニットに仮組付け可能であり、前記スピーカユニットに仮組付けされた前記支持部材が前記スピーカボックスに取り付けられたとき前記爪部は前記スピーカユニットと非接触状態になる、請求項１〜３のいずれか一項に記載のスピーカ装置。
【請求項５】
前記支持部材は複数の係合鉤部を有し、前記スピーカボックスの内壁面には複数の係合凸部が周方向に間隔をあけて形成されており、前記支持部材は、前記複数の係合鉤部を前記複数の係合凸部の間に挿入して前記支持部材を前記スピーカボックスに対して相対回転させることにより前記係合鉤部が前記係合凸部の背面に係合することにより前記スピーカボックスに取り付けられる、請求項１〜４のいずれか一項に記載のスピーカ装置。
【発明の詳細な説明】
【技術分野】
【０００１】
本発明は、スピーカボックス内にスピーカユニットを収容してなるスピーカ装置に関する。
【背景技術】
【０００２】
従来、例えば、特許文献１には、開口部が設けられるスピーカボックス内にスピーカユニットを収容し、スピーカボックス内部の空間でスピーカを支持し、スピーカユニットの音響放射部をスピーカボックスの開口部に接続して形成するスピーカ装置が記載されている。このスピーカ装置では、スピーカユニットの駆動部の背面側に、仮想的に音響振動に対する接地として作用しうる質量を有する錘の本体部をボルトで連結し、この錘の本体部から放射状に延びる複数の支持部の各先端をボックス外部からボルトでそれぞれ固定する構成となっている。
【０００３】
この構成によれば、スピーカユニットに連結された錘が仮想的に音響振動に対する接地として作用しうる質量を有するため、スピーカユニットの音響放射部が音響出力を伝播する空気に比較して音響インピーダンスが充分に高くなり、空気への音響出力の放射に伴う反力を受けてもスピーカユニットはほとんど振動しないようにできると記載されている。
【先行技術文献】
【特許文献】
【０００４】
【特許文献１】特許第３８９４４９２号公報
【発明の概要】
【発明が解決しようとする課題】
【０００５】
上記特許文献１のスピーカ装置では、スピーカボックス内にスピーカユニットを収容して固定するために４本のボルトを用いており、スピーカ装置の組立て作業が煩雑になる。
【０００６】
本発明の目的は、スピーカボックスへのスピーカユニットの組付けを容易にしながら、スピーカユニットからスピーカボックスに振動が伝わりにくくすることができるスピーカ装置を提供することにある。
【課題を解決するための手段】
【０００７】
本発明に係るスピーカ装置は、音響放射部を有するスピーカユニットと、開口部を有し、前記開口部から前記スピーカユニットが挿入されてボックス内部に収容されるスピーカボックスと、前記スピーカボックスの開口部に取り付けられ、前記スピーカボックス内の奥壁に対して前記スピーカユニットを押圧支持する支持部材と、前記スピーカユニットと前記支持部材との間に圧接状態で設けられる柔軟な前側緩衝材と、前記スピーカユニットと前記スピーカボックス内の奥壁との間に圧接状態で設けられる柔軟な後側緩衝材と、を備え、前記スピーカユニットは、前記前側緩衝材および後側緩衝材を介して前記支持部材と前記スピーカボックスの奥壁とによって押圧支持されるものである。
【０００８】
この構成によれば、スピーカユニットは、前側および後側緩衝材を介して支持部材とスピーカボックスの奥壁とによって押圧支持されるため、スピーカユニットからスピーカボックスに振動が伝わりにくくなる。その結果、スピーカユニットから放射される音響出力の音質がスピーカボックスの振動に起因して生じる音響出力によって低下するのを防止することができる。
【０００９】
また、スピーカユニットは支持部材とスピーカボックスの奥壁とにより押圧支持されるため、支持部材をスピーカボックスの開口部に例えばバヨネット構造によって取り付けるだけでスピーカユニットを組付けることができ、スピーカ装置の組立て作業が容易になる。
【００１０】
本発明に係るスピーカ装置において、前記前側緩衝材は前記後側緩衝材よりも変形しやすい柔軟性を有するのが好ましい。この場合、前記前側緩衝材は弾性を有するスポンジで構成され、前記後側緩衝材はフェルトで構成されてもよい。
【００１１】
この構成によれば、スピーカユニットの前端側に位置する音響放射部の振動を前側緩衝材によって効果的に吸収することができ、スピーカユニットからスピーカボックスへの振動伝達をより効果的に抑制できる。
【００１２】
また、本発明に係るスピーカ装置において、前記支持部材は複数の爪部を有し、前記複数の爪部が前記スピーカユニットの前端にあるフランジ部に係合することで前記支持部材が前記スピーカユニットに仮組付け可能であり、前記スピーカユニットに仮組付けされた前記支持部材が前記スピーカボックスに取り付けられたとき前記爪部は前記スピーカユニットと非接触状態になる。
【００１３】
この構成によれば、支持部材をスピーカユニットに仮組付けした状態で支持部材をスピーカボックスに取り付けることができ、スピーカ装置の組立て作業を容易にすることができる。また、支持部材がスピーカボックスに取り付けられたとき爪部はスピーカユニットと非接触状態になるため、スピーカユニットからスピーカボックスへの振動伝達をより効果的に抑制できる。
【００１４】
さらに、本発明に係るスピーカ装置において、前記支持部材は複数の係合鉤部を有し、前記スピーカボックスの内壁面には複数の係合凸部が周方向に間隔をあけて形成されており、前記支持部材は、前記複数の係合鉤部を前記複数の係合凸部の間に挿入して前記支持部材を前記スピーカボックスに対して相対回転させることにより前記係合鉤部が前記係合凸部の背面に係合することにより前記スピーカボックスに取り付けられるのが好ましい。
【００１５】
この構成によれば、いわゆるバヨネット構造によって支持部材をスピーカボックスに取り付けることができる。したがって、ボルトの締付けを行うことなくスピーカユニットの組付けが可能になり、その結果、スピーカ装置の組立て作業を容易にすることができる。
【発明の効果】
【００１６】
本発明に係るスピーカ装置によれば、スピーカボックスへのスピーカユニットの組付けを容易にしながら、スピーカユニットからスピーカボックスに振動が伝わりにくくすることができる。
【図面の簡単な説明】
【００１７】
【図１】本発明の一実施形態であるスピーカ装置の（ａ）平面図、（ｂ）正面図、（ｃ）図１（ｂ）のＡ−Ａ断面図、および、（ｄ）側面図である。
【図２】図１に示したスピーカ装置の分解斜視図である。
【図３】第１スピーカ部を構成するスピーカユニットおよび第１支持部材を分解状態で示す斜視図である。
【図４】仮組付けされたスピーカユニットおよび第１支持部材とスピーカボックスとを分解状態で示す斜視図である。
【図５】（ａ）は第１支持部材の係合鉤部がスピーカボックス内面の係合凸部に係合する前の状態を示す正面図であり、（ｂ）は第１支持部材の係合鉤部がスピーカボックス内面の係合凸部に係合した状態を示す正面図である。
【図６】第１支持部材の前側及び後側の係合鉤部が第１ボックス部分の内面の前側及び後側係合凸部にそれぞれ係合した状態を示す部分断面図である。
【図７】第１支持部材が第１ボックス部分に取り付けられたときのスピーカユニットと第１支持部材の爪部との関係を示す部分断面図である。
【図８】第２スピーカ部を構成するスピーカユニットおよび第２支持部材を分解状態で示す斜視図である。
【図９】仮組付けされたスピーカユニットおよび第２支持部材と第２ボックス部分とを分解状態で示す斜視図である。
【図１０】仮組付けされたスピーカユニットおよび第２支持部材が第２ボックス部分に取り付けられた状態を示す断面図である。
【発明を実施するための形態】
【００１８】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１９】
図１は、本発明の一実施形態であるスピーカ装置１０の（ａ）平面図、（ｂ）正面図、（ｃ）図１（ｂ）のＡ−Ａ断面図、および、（ｄ）側面図である。また、図２は、図１に示したスピーカ装置１０の分解斜視図である。以下において、第１スピーカ部および第２スピーカ部のそれぞれについて、スピーカユニットから音響出力が放射される自由空間に臨む方向を「前」といい、その反対側を「後」という。
【００２０】
図１（ａ）−（ｄ）に示すように、スピーカ装置１０は、第１スピーカ部１２と第２スピーカ部１４とを一体に備える。本実施形態では、第１スピーカ部１２の音響出力方向と第２スピーカ部１４の音響出力方向とがなす角度θは、例えば４５°に設定されている。
【００２１】
また、スピーカ装置１０は、スタンド１６を備えてもよい。スタンド１６は、第１および第２スピーカ部１２，１４を含むスピーカ装置１０の下部に、例えば、ねじ等の固定手段によって取り付けられている。このようなスタンド１６を備えることで、スピーカ装置１０を設置面に載置することができる。スタンド１６は、例えば、両面テープ等を用いて載置面に固定されてもよい。
【００２２】
第１スピーカ部１２および第２スピーカ部１４は、スピーカユニット２０をそれぞれ含む。第１スピーカ部１２のスピーカユニット２０と、第２スピーカ部１４のスピーカユニット２０は、同一の構成のものを用いることができる。図１（ｃ）に示すように、第１スピーカ部１２ではスピーカユニット２０がスピーカボックスの奥側に収容される。これに対し、第２スピーカ部１４では、図１（ｂ），（ｄ）に示すように、スピーカユニット２０がスピーカボックスの開口部に露出した状態で収容されている。
【００２３】
図１（ａ）−（ｄ）に示すように、スピーカ装置１０は、スピーカボックス２２を備える。スピーカボックス２２は、第１スピーカ部１２を構成する第１ボックス部分２２ａと、第２スピーカ部１４を構成する第２ボックス部分２２ｂとを一体に含む。第１ボックス部分２２ａは、前端が円形状に開口して後端に向かって次第に小径となる例えばどんぐり状または砲弾状の外郭形状を有する。第２ボックス部分２２ｂもまた、前端が円形状に開口して後端に向かって次第に小径となる例えばどんぐり状または砲弾状の外郭形状を有するが、第１ボックス部分２２ａに比べて前後方向の長さが短く形成されている。
【００２４】
また、スピーカボックス２２は、図２に示すように、上側ボックス部２２ｕと下側ボックス部２２ｓとに二分割されて構成されている。上側ボックス部２２ｕと下側ボックス部２２ｓは、例えば、樹脂成型によって形成されるのが好適である。
【００２５】
図２に示すように、スピーカ装置１０の第１スピーカ部１２は、第１ボックス部分２２ａと、スピーカユニット２０と、第１支持部材２４ａとから構成される。スピーカ装置１０の第２スピーカ部１４は、第２ボックス部分２２ｂと、スピーカユニット２０と、第２支持部材２４ｂとから構成される。上述したように第１および第２スピーカ部１２，１４にそれぞれ含まれるスピーカユニット２０は同一の構成を有するため、以下では第１スピーカ部１２と第２スピーカ部１４とで特に区別をしない。
【００２６】
スピーカユニット２０は、前端側に音響放射部となる振動板２６を有し、後端側に振動板２６を振動させる駆動部２８を有する。駆動部２８は、図示しない磁気回路やボイスコイルなどを含む。
【００２７】
また、スピーカユニット２０の前端の外周部には、前側緩衝材３０が設けられている。前側緩衝材３０は、円環状をなし、柔軟な材料によって形成されている。詳しくは、前側緩衝材３０は、例えば、弾性を有するスポンジで構成されるのが好ましい。具体的には、前側緩衝材３０は、例えばウレタンスポンジによって形成される。前側緩衝材３０は、振動板２６の外周部が固定されるフレームの前面に例えば接着等によって固定される。また、前側緩衝材３０は、後述する後側緩衝材３２よりも変形しやすい柔軟性を有するのが好ましい。
【００２８】
他方、スピーカユニット２０の後端には、後側緩衝材３２が設けられている。後側緩衝材３２は、扁平な円柱状をなし、柔軟な材料によって形成されている。具体的には、後側緩衝材３２は、例えばフェルトで構成され、特に羊毛製のフェルトで構成されるのが好ましい。
【００２９】
第１スピーカ部１２の第１支持部材２４ａは、第１ボックス部分２２ａの開口部に取り付けられ、第１ボックス部分２２ａ内の奥壁２３ａとの間でスピーカユニット２０を押圧支持する部材である。また、第２スピーカ部１４の第２支持部材２４ｂは、第２ボックス部分２２ｂの開口部に取り付けられ、第２ボックス部分２２ｂ内の奥壁２３ｂとの間でスピーカユニット２０を押圧支持する部材である。
【００３０】
次に、図３〜図７を参照して、第１スピーカ部１２について更に説明する。図３は、第１スピーカ部１２を構成するスピーカユニット２０および第１支持部材２４ａを分解状態で示す斜視図である。図４は、仮組付けされたスピーカユニット２０および第１支持部材２４ａとスピーカボックス２２とを分解状態で示す斜視図である。
【００３１】
図３に示すように、第１支持部材２４ａは、略円筒状をなす部材であり、前端部４０、中間部４２および後端部４３を有する。第１支持部材２４ａは、例えば、樹脂成型によって一体に形成されている。
【００３２】
第１支持部材２４ａには、前方に向かって次第に直径が大きくなる内部空間４１が前後方向に貫通して形成されており、この内部空間４１が第１支持部材２４ａの前端部４０と後端部４３において開口している。また、この内部空間４１は、第１支持部材２４ａの後端部４３に取り付けられるスピーカユニット２０から放射される音響出力に指向性をもたせる機能を有している。すなわち、スピーカユニット２０から放射される音響出力は、第１支持部材２４ａの内部空間４１が延びる前方向に向かって放射される。
【００３３】
第１支持部材２４ａにおいて前端部４０は、スピーカボックス２２の第１ボックス部分２２ａの前端部とほぼ同一の直径を有している。これにより、第１支持部材２４ａが第１ボックス部分２２ａに組み付けられたとき、第１支持部材２４ａと前端部４０と第１ボックス部分２２ａが段差なく連続した外周面を構成する。
【００３４】
第１支持部材２４ａの中間部４２は、前方に向かって次第に外径が大きくなるラッパ状に形成されている。中間部４２の外周面には、複数の係合鉤部４６，４８が形成されている。より詳しくは、中間部４２の前側外周面であって前端部４０の近傍には、４つの前側係合鉤部４６が周方向に等間隔（９０度間隔）で設けられている。
【００３５】
また、中間部４２の後側外周面であって後端部４３の近傍には、４つの後側係合鉤部４８が周方向に等間隔（９０度間隔）で設けられている。前側係合鉤部４６と後側係合鉤部４８は、第１支持部材２４ａを前方から見たときに揃った位置となるように周方向で同一角度位置に配置されている。
【００３６】
第１支持部材２４ａの前側係合鉤部４６は、Ｌ字状の断面形状をなして中間部４２の外周面から突出し、これにより周方向の一方側に開口した鉤形状に形成されている（図５（ａ）参照）。なお、後側係合鉤部４８についても、前側係合鉤部４６と略同様の形状に形成されている。
【００３７】
図３に示すように、第１支持部材２４ａの中間部４２において後端部４３近傍の外周面には、複数の爪部５０が設けられている。本実施形態では、３つの爪部５０が周方向に等間隔（１２０度間隔）で且つ後側係合鉤部４８の間に配置されている。爪部５０は、中間部４２の外周面から後方へ延びる脚部と、脚部の内側面から径方向内側に突出した段部と、段部から連続して形成され後方にいくほど径方向外側へ広がる傾斜面とを有している。そして、爪部５０の後方端部は第１支持部材２４ａの後端部４３よりも後方に突出しており、爪部５０の段部が後端部４３の後端４４の位置よりも後方に位置している。
【００３８】
上記のような構成を有する第１支持部材２４ａがスピーカユニット２０に仮組付けされる。具体的には、第１支持部材２４ａの後端部４３にスピーカユニット２０が複数の爪部５０によって仮組付けされる。
【００３９】
スピーカユニット２０の前端の前側緩衝材３０およびフランジ部２１に向かって第１支持部材２４ａの後端部４３を接近させていくと、爪部５０の傾斜面が前側緩衝材３０およびフランジ部２１が接触することで爪部５０が径方向外側へ押されて変位する。そして、爪部５０の段部がスピーカユニット２０のフランジ部２１を通過したとき、爪部５０自体が有する弾性によって径方向内側へ変位する。その結果、爪部５０の段部がフランジ部２１の後面に係合する。これにより、第１支持部材２４ａがスピーカユニット２０から外れないように仮組付けされる。
【００４０】
ただし、この仮組付けは、爪部５０に径方向外側への外力を加えなければスピーカユニット２０が外れない程度に緩い組付け状態であり、第１支持部材２４ａの後端４４がスピーカユニット２０の前側緩衝材３０に接触しても圧縮変形させない状態になっている。
【００４１】
このように第１支持部材２４に仮組付けされたスピーカユニット２０は、図４に示すように、スピーカボックス２２の第１ボックス部分２２ａの開口部２１ａから内部に挿入されて収容される。第１ボックス部分２２ａの開口部２１ａ近傍の内壁面には、複数の前側係合凸部２５が周方向に間隔をあけて形成されている。本実施形態では、第１支持部材２４ａの前側係合鉤部４６に対応して４つの前側係合凸部２５が周方向に等間隔（９０度間隔）で設けられている。
【００４２】
また、第１ボックス部分２２ａの奥側の内壁面には、複数の後側係合凸部２７が周方向に間隔をあけて形成されている（図６参照）。本実施形態では、第１支持部材２４ａの後側係合鉤部４８に対応して４つの後側係合凸部２７が周方向に等間隔（９０度間隔）で設けられている。
【００４３】
第１ボックス部分２２ａに形成された前側係合凸部２５は、図５（ａ）に示すように、Ｌ字状の断面形状を有し、第１支持部材２４ａの前側係合鉤部４６とは周方向の反対側に開口している。このことは、第１支持部材２４ａの後側係合凸部２７についても同様である。
【００４４】
このような係合凸部２５，２７が設けられている第１ボックス部分２２ａの開口部２１ａから、第１支持部材２４ａの後端部４３に仮組付けされたスピーカユニット２０をボックス内部に挿入する。このとき、図５（ａ）に示すように、第１支持部材２４ａに形成されている複数の前側係合鉤部４６は第１ボックス部分２２ａの内壁面に形成されている複数の係合凸部２５の間に挿入される。また、図示していないが、第１支持部材２４ａに形成されている複数の係合鉤部４８は第１ボックス部分２２ａの内壁面に形成されている複数の後側係合凸部２７の間に挿入される。また、このとき第１支持部材２４ａの前端部４０は、第１ボックス部分２２ａの開口部２１ａの縁部に当接した状態になっている。
【００４５】
この状態で、図５（ｂ）に示すように、第１支持部材２４ａを矢印Ｂ方向に回転させる。これにより、第１支持部材２４ａの前側係合鉤部４６が第１ボックス部分２２ａの前側係合凸部２５に嵌まり込んで係合する。また、図６に示すように、第１支持部材２４ａの後側係合鉤部４８が第１ボックス部分２２ａの後側係合凸部２７に嵌まり込んで係合する。その結果、第１支持部材２４ａおよびスピーカユニット２０は、第１ボックス部分２２ａに前後方向の移動が規制された状態で取り付けられる。
【００４６】
また、このとき第１支持部材２４ａおよびスピーカユニット２０は、係合鉤部４６，４８と係合凸部２５，２７とが周方向に当接していることによって、第１ボックス部分２２ａに対する第１支持部材２４ａの周方向の回転位置が決められた状態になる。さらに、この状態では、係合鉤部４６，４８と係合凸部２５，２７とが係合していることで、第１ボックス部分２２ａを構成する上側ボックス部２２ｕと下側ボックス部２２ｓ（図２参照）が互いに連結された状態を維持する機能を果たしている。
【００４７】
上記のように第１ボックス部分２２ａに取り付けられた第１支持部材２４ａが逆方向に回転して外れることがないように、図示しない少なくとも１本のねじを用いて第１支持部材２４ａを第１ボックス部分２２ａに固定するのが好ましい。
【００４８】
上記のようにして第１支持部材２４ａが第１ボックス部分２２ａに取り付けられたとき、第１ボックス部分２２ａ内に収容されたスピーカユニット２０は図７に示す状態になっている。すなわち、スピーカユニット２０の前端外周に設けられた前側緩衝材３０は、フランジ部２１と第１支持部材２４ａの後端４４とに圧接した状態になっている。また、スピーカユニット２０の後端に設けられた後側緩衝材３２は、スピーカユニット２０と第１ボックス部分２２ａの奥壁２３ａとに圧接した状態になっている。これにより、スピーカユニット２０は、それぞれ柔軟性を有する前側緩衝材３０および後側緩衝材３２を介して、第１支持部材２４ａと第１ボックス部分２２ａの奥壁２３ａとによって押圧支持されている。すなわち、スピーカユニット２０は、第１ボックス部分２２ａに直に接触することなく支持されている。その結果、スピーカユニット２０の音響出力時の振動がスピーカボックス２２に伝わりにくくなる。したがって、スピーカユニット２０から放射される音響出力の音質がスピーカボックス２２の振動に起因して生じる音響出力によって低下するのを防止することができる。
【００４９】
また、このときスピーカユニット２０を第１支持部材２４ａに仮組付けするための爪部５０は、緩衝材３０，３２（特に前側緩衝材３０）が圧縮変形することで、スピーカユニット２０のフランジ部２１から離れた非接触状態になっている。これにより、スピーカユニット２０の音響出力時の振動が第１支持部材２４ａを介してスピーカボックス２２に伝わることが抑制される。これによっても、スピーカユニット２０から放射される音響出力の音質がスピーカボックス２２の振動に起因して生じる音響出力によって低下するのを防止することができる。
【００５０】
次に、図８〜図１０を参照して、第２スピーカ部１４について詳細に説明する。図８は、第２スピーカ部１４を構成するスピーカユニット２０および第２支持部材２４ｂを分解状態で示す斜視図である。図９は、仮組付けされたスピーカユニット２０および第２支持部材２４ｂと第２ボックス部分２２ｂとを分解状態で示す斜視図である。図１０は、仮組付けされたスピーカユニット２０および第２支持部材２４ｂが第２ボックス部分２２ｂに取り付けられた状態を示す断面図である。以下において、第１スピーカ部１２と同様の構成および作用については説明を適宜に省略することがある。
【００５１】
第２支持部材２４ｂは、円環状部材であり、環状部６０と、環状部６０に後方へ突出して形成された爪部６２および係合鉤部６４とを備える。第２支持部材２４ｂは、例えば、樹脂成型によって一体に形成されている。なお、第２支持部材２４ｂの爪部６２および係合鉤部６４は、第１支持部材２４ａの爪部５０および前側係合鉤部４６に相当する。
【００５２】
図９に示すように、第２ボックス部分２２ｂの開口部２１ｂ近傍の内壁面には、複数の係合凸部２９が形成されている。係合凸部２９は、第２支持部材２４ｂの係合鉤部６４とともにいわゆるバヨネット構造を構成する。本実施形態では、係合凸部２９は、周方向に延びるリブ状に形成されている。なお、第２ボックス部分２２ｂの係合凸部２９は、第１ボックス部分２２ａの前側係合凸部２５に相当する。
【００５３】
図８に示すように、第２支持部材２４ｂは、スピーカユニット２０の前端にあるフランジ部２１に爪部６２を係合させることによって仮組付けされる。そして、このように第２支持部材２４ｂに仮組付けされたスピーカユニット２０を、図９に示すように、第２ボックス部分２２ｂの開口部２１ｂから挿入されてボックス内部に収容される。
【００５４】
スピーカユニット２０を第２ボックス部分２２ｂに挿入するとき、第２支持部材２４ｂの係合鉤部６４が第２ボックス部分２２ｂの係合凸部２９の間に挿入する。そして、第２支持部材２４ｂの環状部６０が第２ボックス部分２２ｂの開口部２１ｂの縁部に当接した状態で、第２支持部材２４ｂを第２ボックス部分２２ｂに対して回転させる。これにより、第２支持部材２４ｂの係合鉤部６４が第２ボックス部分２２ｂの係合凸部２９の後面に係合し、第２支持部材２４ｂおよびスピーカユニット２０の前後方向の移動が規制された状態になる。また、係合鉤部６４が係合凸部２９の周方向に向いた壁に当接することで、第２ボックス部分２２ｂに対する第２支持部材２４ｂおよびスピーカユニット２０の周方向の回転位置が決められる。このように第２ボックス部分２２ｂに取り付けられた第２支持部材２４ｂが逆方向に回転して外れることがないように、図示しない少なくとも１本のねじを用いて第２支持部材２４ｂを第２ボックス部分２２ｂに固定するのが好ましい。
【００５５】
上記のようにして第２支持部材２４ｂが第２ボックス部分２２ｂに取り付けられたとき、第２ボックス部分２２ｂ内に収容されたスピーカユニット２０は図９に示す状態になっている。すなわち、スピーカユニット２０の前端外周に設けられた前側緩衝材３０は、フランジ部２１と第２支持部材２４ｂの環状部６０とに圧接した状態になっている。
【００５６】
また、スピーカユニット２０の後端に設けられた後側緩衝材３２は、スピーカユニット２０と第２ボックス部分２２ｂの奥壁２３ｂとに圧接した状態になっている。これにより、スピーカユニット２０は、それぞれ柔軟性を有する前側緩衝材３０および後側緩衝材３２を介して、第２支持部材２４ｂと第２ボックス部分２２ｂの奥壁２３ｂとによって押圧支持されている。すなわち、スピーカユニット２０は、第２ボックス部分２２ｂに直に接触することなく支持されている。その結果、スピーカユニット２０の音響出力時の振動がスピーカボックス２２に伝わりにくくなる。したがって、スピーカユニット２０から放射される音響出力の音質がスピーカボックス２２の振動に起因して生じる音響出力によって低下するのを防止することができる。
【００５７】
また、このときスピーカユニット２０を第２支持部材２４ｂに仮組付けするための爪部６２は、緩衝材３０，３２（特に前側緩衝材３０）が圧縮変形することで、スピーカユニット２０のフランジ部２１から離れた非接触状態になっている。これにより、スピーカユニット２０の音響出力時の振動が第２支持部材２４ｂを介してスピーカボックス２２に伝わることが抑制される。これによっても、スピーカユニット２０から放射される音響出力の音質がスピーカボックス２２の振動に起因して生じる音響出力によって低下するのを防止することができる。
【００５８】
上述したように、本実施形態のスピーカ装置１０によれば、スピーカユニット２０は、前側および後側緩衝材３０，３２を介して第１および第２支持部材２４ａ，２４ｂとスピーカボックス２２の奥壁２３ａ，２３ｂとによって押圧支持されるため、スピーカユニット２０からスピーカボックス２２に振動が伝わりにくくなる。その結果、スピーカユニット２０から放射される音響出力の音質がスピーカボックス２２の振動に起因して生じる音響出力によって低下するのを防止することができる。
【００５９】
また、スピーカユニット２０は第１および第２支持部材２４ａ，２４ｂとスピーカボックス２２の奥壁２３ａ，２３ｂとにより押圧支持されるため、第１および第２支持部材２４ａ，２４ｂをスピーカボックス２２の開口部２１ａ，２１ｂにいわゆるバヨネット構造によって取り付けるだけでスピーカユニット２０を組付けることができ、スピーカ装置１０の組立て作業が容易になる。
【００６０】
また、スピーカユニット２０の前端側に位置する音響放射部の振動を前側緩衝材３０によって効果的に吸収することができ、スピーカユニット２０からスピーカボックス２２への振動伝達をより効果的に抑制できる。
【００６１】
また、第１および第２支持部材２４ａ，２４ｂをスピーカユニット２０に仮組付けした状態で第１および第２支持部材２４ａ，２４ｂをスピーカボックス２２に取り付けることができ、スピーカ装置１０の組立て作業を容易にすることができる。また、第１および第２支持部材２４ａ，２４ｂがスピーカボックス２２に取り付けられたとき爪部５０，６２はスピーカユニット２０と非接触状態になるため、スピーカユニット２０からスピーカボックス２２への振動伝達をより効果的に抑制できる。
【００６２】
さらに、いわゆるバヨネット構造によって第１および第２支持部材２４ａ，２４ｂをスピーカボックス２２に取り付けることができる。したがって、ボルトの締付けを行うことなくスピーカユニット２０の組付けが可能になり、その結果、スピーカ装置１０の組立て作業を容易にすることができる。
【００６３】
なお、本発明は上述した実施形態およびその変形例に限定されるものではなく、本願の特許請求の範囲に記載された事項の範囲内において種々の変更や改良が可能である。
【００６４】
例えば、上記においては２つのスピーカユニット２０を備えたスピーカ装置１０について説明したが、これに限定されるものではなく、スピーカ装置は１つ又は３つ以上のスピーカユニットを備えてもよい。また、２つの以上のスピーカユニットを備える場合、種類や大きさ等が異なるスピーカユニットを用いてもよい。
【符号の説明】
【００６５】
１０  スピーカ装置、１２  第１スピーカ部、１４  第２スピーカ部、１６  スタンド、２０  スピーカユニット、２１  フランジ部、２１ａ，２１ｂ  開口部、２２  スピーカボックス、２２ａ  第１ボックス部分、２２ｂ  第２ボックス部分、２２ｓ  下側ボックス部、２２ｕ  上側ボックス部、２３ａ，２３ｂ  奥壁、２４ａ  第１支持部材、２４ｂ  第２支持部材、２５  前側係合凸部、２６  振動板、２７  後側係合凸部、２８  駆動部、２９  係合凸部、３０  前側緩衝材、３２  後側緩衝材、４０  前端部、４１  内部空間、４２  中間部、４３  後端部、４４  後端、４６  前側係合鉤部、４８  後側係合鉤部、５０，６２  爪部、６０  環状部、６４  係合鉤部。
【図１】
2019121992.tif 000003
【図２】
2019121992.tif 000004
【図３】
2019121992.tif 000005
【図４】
2019121992.tif 000006
【図５】
2019121992.tif 000007
【図６】
2019121992.tif 000008
【図７】
2019121992.tif 000009
【図８】
2019121992.tif 000010
【図９】
2019121992.tif 000011
【図１０】
2019121992.tif 000012